(57)【要約】  【課題】  光ディスク装置において、光ディスクの記録品質を確保可能な記録情報の消去技術を提供する。  【解決手段】  光ディスクに既に記録されている情報を消去するとき、予め設定された消去パワーのレーザーで光ディスクのユーザ領域の記録情報を試し消去した後、該ユーザ領域に試し記録し、該試し記録した情報の記録品質を判別し、該判別結果に基づいて本番消去用の消去パワーを設定し、該設定した消去パワーのレーザーで消去を行う構成とする。【選択図】  図２
2006252729.tif 000002
【特許請求の範囲】
【請求項１】
光ディスクにレーザーを照射し情報の記録または再生を行う光ディスク装置であって、
予め設定された消去パワーのレーザーで上記光ディスクのユーザ領域の記録情報を試し消去させた後、該ユーザ領域に試し記録させ、該試し記録させた情報の記録品質を判別し、該判別結果に基づき本番消去用の消去パワーを設定する制御部を備えたことを特徴とする光ディスク装置。
【請求項２】
光ディスクにレーザーを照射し情報の記録または再生を行う光ディスク装置であって、
レーザーダイオードを駆動し上記光ディスクに照射されるレーザーを発生させるレーザー駆動回路と、
上記レーザーダイオードに、情報消去用の消去パワーのレーザーまたは情報記録用の記録用パワーのレーザーを発生させるために、上記レーザー駆動回路を制御する消去信号または記録信号を生成する消去・記録信号生成部と、
情報消去時、コマンド情報に基づき、上記消去・記録信号生成部を制御し、予め設定された消去パワーのレーザーを上記レーザーダイオードに発生させ、上記光ディスクのユーザ領域を試し消去させた後、所定の記録用パワーのレーザーで該試し消去させたユーザ領域に試し記録させ、該試し記録させた情報の記録品質を判別し、該判別結果に基づき本番消去用の消去パワーを設定する制御部と、
を備え、上記設定された消去パワーのレーザーで記録情報の本番消去を行う構成としたことを特徴とする光ディスク装置。
【請求項３】
上記制御部は、上記試し記録させた情報の記録品質を、該記録情報から再生される誤差信号に基づき判別する構成である請求項１または請求項２に記載の光ディスク装置。
【請求項４】
上記制御部は、上記判別の結果に基づき、上記本番消去用の消去パワーとして、上記試し消去用の消去パワーと同等以上のレベルの消去パワーを設定する構成である請求項１または請求項２に記載の光ディスク装置。
【請求項５】
上記制御部は、上記判別の結果、上記記録品質が基準レベルに達していないときは、上記消去パワーのランクを上げて試し消去を行わせる構成である請求項１または請求項２に記載の光ディスク装置。
【請求項６】
上記制御部は、上記試し消去に先立ち、光ディスクの記録済み位置から試し消去を行う位置と回数を設定する構成である請求項１または請求項２に記載の光ディスク装置。
【請求項７】
光ディスクに記録された情報を消去する記録情報の消去方法であって、
消去モード時、コマンド情報に基づき、予め設定された消去パワーのレーザーを上記レーザーダイオードに発生させ、上記光ディスクのユーザ領域を試し消去する第１のステップと、
所定の記録用パワーのレーザーで、上記試し消去したユーザ領域に情報を試し記録する第２のステップと、
上記試し記録した情報を再生し記録品質を判別する第３のステップと、
上記判別の結果に基づき、本番消去用の消去パワーを設定する第４のステップと、
上記設定した消去パワーのレーザーを出力するようにレーザーダイオードを制御する第５のステップと、
を経て、記録情報の消去を行うことを特徴とする記録情報の消去方法。
【請求項８】
上記第４のステップでは、上記本番消去用の消去パワーとして、上記第１のステップでの試し消去における消去パワーと同等以上のレベルの消去パワーが設定される請求項７に記載の記録情報の消去方法。
【発明の詳細な説明】
【技術分野】
【０００１】
本発明は、光ディスク装置に係り、特に、記録情報を消去する技術に関する。
【背景技術】
【０００２】
従来、光ディスク装置では、例えば別機種の装置で記録された光ディスクの旧情報を消去して再記録する場合、該装置の記録パワーが大きいときなどは該旧情報を所定レベル以下にまで消去することができず、その後新たに記録する情報の記録品質が落ちることが多い。これを改善するための技術検討も従来より行われている。
記録品質の確保を目指す記録情報の消去技術であって、本発明に関連した技術としては、例えば特開２００３−４５０３１号公報（特許文献１）や特開２００４−２７３０７４号公報（特許文献２）に記載されたものがある。特開２００３−４５０３１号公報には、テスト記録領域に上書きテスト記録を行い、消去パワーの光ビームで消去された消去領域における反射光の検出信号から基準消し残し変調度を算出して保持し、情報記録時に、消去領域における反射光の検出信号からピーク値とボトム値を求め、該ピーク値とボトム値から消し残し変調度を算出し、該算出した消し残し変調度が基準消し残し変調度に近づくように消去パワーを変更するとした技術が記載され、また、特開２００４−２７３０７４号公報には、書換え型光ディスクにオーバーライト（上書き）する際に、書換え型光ディスクの情報記録領域の旧データが記録された部分に、所定量ずつ消去パワーを変化させながら複数段階の消去パワーのレーザ光（レーザー）を連続的に照射して、書換え型光ディスクに記録された旧データを試し消去し、該試し消去した旧データ部分に再生レベルのレーザ光を照射して再生を行い、再生信号中の雑音レベルが最小となる部分に照射してレーザ光の消去パワーレベルを最適消去パワーとして設定するとした技術が記載されている。
【０００３】
【特許文献１】特開２００３−４５０３１号公報
【特許文献２】特開２００４−２７３０７４号公報
【発明の開示】
【発明が解決しようとする課題】
【０００４】
例えば上記特開２００３−４５０３１号公報記載の技術は、テスト記録領域内において消去パワーの最適値を求めるとした技術であり、ユーザ領域における消去後の記録品質については該ユーザ領域において別途確認する必要がある。また、特開２００４−２７３０７４号公報記載の技術は、必ず複数段階（例えば１５段階）の消去パワーのレーザ（レーザー）光による試し消去と再生とが必要であり、雑音レベルが最小となる最適消去パワーの設定に時間がかかるおそれがあるし、また、設定される該最適消去パワーもあくまでも消去時の雑音レベルから求められるため、必ずしも該求めた最適消去パワーが記録品質確保のための最適消去パワーになり得るとは限らない。
本発明の課題点は、上記従来技術の状況に鑑み、光ディスク装置において、例えば別機種の装置で光ディスクに記録した情報を消去して新たに情報を記録する際などにも、光ディスクの所定の記録品質を確保可能な適切な消去パワーの設定を、ユーザ領域内の記録状態の直接的評価に基づき短時間処理で行えるようにすることである。
本発明の目的は、かかる課題点を解決し、光ディスクの互換性や記録・再生の信頼性を確保でき、使い勝手性の良い光ディスク装置を提供することにある。
【課題を解決するための手段】
【０００５】
上記課題点を解決するために、本発明では、光ディスク装置において、光ディスクに既に記録されている情報を消去するとき、予め設定された消去パワーのレーザーで光ディスクのユーザ領域の記録情報を試し消去した後、該ユーザ領域に試し記録し、該試し記録した情報の記録品質を判別し、該判別結果に基づいて本番消去用の消去パワーを設定し、該設定した消去パワーのレーザーで消去を行う構成とする。
具体的には、本発明は、上記を基本構成要件とする光ディスク装置と、上記を経時的基本動作要件とする光ディスク装置における記録情報の消去方法とである。
【発明の効果】
【０００６】
本発明によれば、光ディスク装置において、光ディスクの所定の記録品質を確保可能な適切な消去パワーの設定を短時間処理で行え、例えば別の機種で記録した光ディスクなどに対しても記録・再生の信頼性を確保可能となる。
【発明を実施するための最良の形態】
【０００７】
以下、本発明を実施するための最良の形態につき、図面を用いて説明する。
図１〜図２は、本発明の実施例の説明図である。図１は、本発明の実施例としての光ディスク装置の構成例図、図２は、図１の光ディスク装置における情報消去の動作手順の説明図である。
図１において、１は光ディスク装置、２は光ディスク、３は、光ディスク２を回転駆動するためのスピンドルモータ、４は、光ディスク２に対しレーザー光を照射し、該光ディスク２に情報を記録したり、記録された情報を該光ディスク２から読み出したりする光ピックアップ、５は、光ピックアップ４内の対物レンズ、６は、レーザー光を発生するレーザーダイオード、７は、レーザーダイオード６を駆動するレーザー駆動回路、８は、対物レンズ５からのレーザー光を受光し電気信号に変換する受光部、９は、対物レンズ５の位置や姿勢を変えるアクチュエータ、１０は、光ピックアップ４を光ディスク２の略半径方向（略ディスク半径方向）に案内しながら移動させる移動・案内機構部、１１は、移動・案内機構部１０の駆動源としてのリードスクリュー（図示なし）を回転させるスライドモータ、１２は、スピンドルモータ３やスライドモータ１１を駆動するためのモータ駆動回路、１３は、アクチュエータ９を駆動するアクチュエータ駆動回路、１４は、光ディスク装置１全体を制御するＤＳＰ（Ｄｅｇｉｔａｌ  Ｓｉｇｎａｌ  Ｐｒｏｃｅｓｓｏｒ）、１５は、該ＤＳＰ１４内において、上記モータ駆動回路１２を制御するための信号を形成するモータ制御部、１６は、同じくＤＳＰ１４内において、光ディスク２上に記録された情報を消去する消去信号及び光ディスク２上に情報を記録する記録信号を生成（形成）する消去・記録信号生成部、１７は、同じくＤＳＰ１４内において、受光部８からの出力信号に基づき、復調処理などによって再生信号を形成したり、記録エラーや再生エラーを検出して対応するエラーレート信号やジッタ対応信号などを形成したりする再生・誤差信号処理部、１８は、同じくＤＳＰ１４内において、アクチュエータ駆動回路１３を制御するためのフォーカス制御信号やトラッキング制御信号を形成するフォーカス・トラッキング制御部、１９は、同じくＤＳＰ１４内において、これらモータ制御部１５や消去・記録信号生成部１６や再生・誤差信号処理部１７やフォーカス・トラッキング制御部１８などを統括的に制御する制御部としてのマイコン、２０はデータ記憶用のメモリである。
【０００８】
上記構成の光ディスク装置１において、例えば記録動作を行う場合、光ディスク２が光ディスク装置１内の所定位置に装着されると、マイコン１９によって制御されたモータ制御部１５から出力される信号でモータ駆動回路１２が制御され、スピンドルモータ３が回転して光ディスク２を所定速度で回転させる。光ディスク２の回転後、該光ディスク２は、記録に先立ち、既にユーザ領域に記録されている情報（以下、旧記録情報という）の消去が行われる。該消去は、制御部としてのＤＳＰ１４が、レーザー駆動回路７を制御し、レーザーダイオード６に所定の消去パワーのレーザーを発生させ、該レーザーを、対物レンズ５を通して光ディスク２上の消去対象ユーザ領域に照射させることにより行われる。すなわち、ＤＳＰ１４内のマイコン１９からの指示信号により消去・記録信号生成部１６が制御され、例えば所定のレベルの直流の消去信号を生成しレーザー駆動回路７側に出力する。該レーザー駆動回路７は該消去信号に基づき制御され、レーザーダイオード６を駆動して所定の消去パワーのレーザーを発生させる。上記所定の消去パワーのレーザーがレーザーダイオード６から出力されるに当っては、マイコン１９により、光ディスク２上の所定の記録品質が確保される適切なレベルの消去パワーが設定される。該適切なレベルの消去パワーの設定を行うとき、マイコン１９は、予め設定され記憶等されているある所定レベルの消去パワーのレーザーで光ディスク２の消去対象ユーザ領域の旧記録情報を試し消去させた後、該ユーザ領域に試し記録させ、該試し記録させた情報の記録品質を、再生誤差信号処理部１７からのエラーレート信号やジッタ等から判別し、該判別の結果に基づき本番消去用の消去パワーを設定する。マイコン１９は、該設定結果を指示信号として出力し、消去・記録信号生成部１６を制御して、対応する消去信号を生成させる。レーザー駆動回路７は該消去信号によりレーザーダイオード６を駆動して、該レーザーダイオード６に上記設定された消去パワーのレーザーを発生させる。上記試し記録は、消去・記録信号生成部１６から、例えば「１」、「０」式などの試し記録信号を出力させ、これによりレーザー駆動回路７を制御し、レーザーダイオード６から上記試し記録信号に対応したレーザーを出射させることにより行う。
【０００９】
マイコン１９は、上記試し記録させた情報の記録品質の判別を行うとき、上記エラーレート信号やジッタ等のレベルを、予め設定した所定の基準レベルと比較する。該比較の結果、該エラーレート信号やジッタ等のレベルが、該基準レベル以内の場合には、該試し記録の直前に行った試し消去時の消去パワーで消去対象ユーザ領域の本番の消去を行えば、その後に行う情報記録の記録品質が確保されるとして、該試し消去時の消去パワーを本番消去用の消去パワーとして設定する。一方、上記比較の結果、上記エラーレート信号やジッタ等のレベルが、上記基準レベルを超える場合には、マイコン１９は、該試し記録の直前に行った試し消去時の消去パワーでは、消去動作を行ったとしても、その後に行う情報記録の記録品質は確保不可能であると判断して、さらにランクを上げた（パワーを増大させた）消去パワーのレーザーで試し消去が実施されるようにする。該ランクを上げた消去パワーでの試し消去後は、マイコン１９は、上記と同様、光ディスクの消去対象ユーザ領域に対し試し記録を行わせ、該試し記録における記録情報の記録品質の判別を、該記録情報から再生されるエラーレート信号やジッタ等に基づき行い、該判別結果に基づき本番消去用の消去パワーとして設定する。すなわち、該判別においては、上記エラーレート信号やジッタ等のレベルが上記基準レベル以内となる場合の、試し消去時の消去パワーを本番消去用の消去パワーとして設定する。上記ランクを上げた消去パワーも予め装置内に設定されて記憶されているものとする。
上記試し消去を行う消去対象ユーザ領域の位置や試し消去を行う回数などは、本光ディスク装置１がホストコンピュータ（図示なし）側から消去コマンドを受信したとき、マイコン１９が、光ディスク２上における旧記録情報の最終記録位置から決定するものとする。
【００１０】
図２は、図１の光ディスク装置における情報消去の動作手順の説明図である。本図２の説明においても、説明中で用いる上記図１の構成における構成要素には、図１の場合と同じ符号を付して用いる。
図２において、
（１）光ディスク装置１がホストコンピュータ（図示なし）側から消去コマンドを受信する（ステップＳ２０１）。
（２）マイコン１９は、光ディスク２上における旧記録情報の最終記録位置から、試し消去を行う消去対象ユーザ領域の位置や試し消去を行う回数などを決定する（ステップＳ２０２）。
（３）マイコン１９は、レーザーダイオード６から相対的に最低の消去パワーのレーザーを出射させて消去対象ユーザ領域の旧記録情報の試し消去を開始させる（ステップＳ２０３）。
（４）マイコン１９は、上記試し消去させた消去対象ユーザ領域に対し、ＯＰＣ（Ｏｐｔｉｍｉｚｅｄ  Ｐｏｗｅｒ  Ｃａｌｉｂｒａｔｉｏｎ）後の最適記録パワーでダミーデータを試し記録させる（ステップＳ２０４）。
（５）マイコン１９は、上記試し記録させた消去対象ユーザ領域を再生させ、エラーレート信号またはジッタを確認する（ステップＳ２０５）。
【００１１】
（６）マイコン１９は、上記エラーレート信号またはジッタのレベルを、予め設定した所定の基準レベルとしての閾値と比較し、上記エラーレート信号またはジッタのレベルが閾値以下か否かを判別することで、消去対象ユーザ領域における上記試し記録の記録品質を判別する（ステップＳ２０６）。
（７）上記ステップＳ２０６における判別（比較）の結果、上記エラーレート信号またはジッタのレベルが閾値を超える場合には、マイコン１９は、消去パワーのランクを１段階上げて（パワーを増大させて）再び試し消去を行わせる（ステップＳ２０７）。
（８）上記ステップＳ２０６における判別（比較）の結果、上記エラーレート信号またはジッタのレベルが閾値以下である場合には、マイコン１９は、上記ステップＳ２０２で決定した必要回数の試し消去が行われたか否かを判別する（ステップＳ２０８）。
（９）上記ステップＳ２０７における判別の結果、必要回数の試し消去が行われた場合には、マイコン１９は、試し消去を行った中で最適な消去パワーすなわち上記ステップＳ２０８における判別において上記エラーレート信号またはジッタのレベルが閾値以下であることを満足するときの消去パワーを、本番消去用の消去パワーとして設定する（ステップＳ２０９）。
（１０）上記ステップＳ２０８における判別の結果、必要回数の試し消去が行われていない場合には、マイコン１９は、次のユーザ領域位置で旧記録情報の試し消去を行わせる（ステップＳ２１０）。
上記（１）〜（１０）の一連の動作は、マイコン１９が、プログラムに従い、上記ステップＳ２０１〜ステップＳ２１０の一連の手順を実行することにより自動的に行われる。マイコン１９に該諸手順を実行させる該プログラムは、光ディスク装置１内の例えばメモリ２０などに予め記憶されているものとする。
【００１２】
上記本発明の実施例によれば、光ディスク装置において、光ディスクの所定の記録品質を確保可能な適切な消去パワーの設定を、ユーザ領域内の記録状態の直接的評価に基づき短時間処理で行えるようになる。この結果、例えば、別の機種で記録した光ディスクなどに対しても、また、それによる高倍速記録時などにも、記録・再生の信頼性を確保することができる。
なお、上記実施例では、メモリ２０を、ＤＳＰ１４とは別個に設けたが、該ＤＳＰ１４内に設ける構成としてもよいし、マイコン１９内に設けてもよい。また、マイコン１９をＤＳＰ１４内に設ける構成としたが、ＤＳＰの外部に設けてもよい。
【図面の簡単な説明】
【００１３】
【図１】本発明の実施例としての光ディスク装置の構成例図である。
【図２】図１の光ディスク装置における情報消去の動作手順の説明図である。
【符号の説明】
【００１４】
１…光ディスク装置、
２…光ディスク、
３…スピンドルモータ、
４…光ピックアップ、
５…対物レンズ、
６…レーザーダイオード、
７…レーザー駆動回路、
８…受光部、
９…アクチュエータ、
１０…移動・案内機構部、
１１…スライドモータ、
１２…モータ駆動回路、
１３…アクチュエータ駆動回路、
１４…ＤＳＰ、
１５…モータ制御部、
１６…消去・記録信号生成部、
１７…再生・誤差信号処理部、
１８…フォーカス・トラッキング制御部、
１９…マイコン、
２０…メモリ。
【図１】
2006252729.tif 000003
【図２】
2006252729.tif 000004